(57)【要約】【課題】前面枠を開けた際に遊技球が外部にこぼれ落ちることがない構成を簡単に実現できるようにする。【解決手段】本体４０に設けられた球払出装置５５と連なる球出口５９ａ，５９ｂに出口シャッタ装置６６を設けるとともに、前面枠７０に球受皿７４，７５に連なる球入口８４ａ，８４ｂを設け、前面枠７０を閉状態に施錠する施錠装置７８にシリンダ錠７９を設け、該施錠装置を開状態に維持するラッチ機構を設け、該施錠装置７８と前記出口シャッタ装置６６とを連繋する。【選択図】図１５
2017144095.tif 000002
【特許請求の範囲】
【請求項１】
前面に遊技盤ユニットが配設された本体と、前面に球受皿が設けられた前面枠とからなり、前記本体には払出球タンクと連なる球払出装置が設けられ、該球払出装置と連なる球払出樋の球出口が該本体の前面に露出するように設けられるとともに該球出口に出口シャッタ装置が設けられ、前記前面枠は前記本体の一側縁に開閉可能に軸支され、前記球受皿に連なる球入口が該前面枠の背面に前記球出口と相対するように設けられ、前記本体に対して前記前面枠を閉状態に施錠する施錠装置を備え、該施錠装置には遊技機の前面から所定のキーを差し込むことにより開錠操作し得るシリンダ錠を設けるとともに該施錠装置を開状態に維持するラッチ機構を設け、該施錠装置を開状態にすると前記球出口が閉状態に維持されるように該施錠装置と前記出口シャッタ装置とを連繋してなることを特徴とする弾球遊技機。
【請求項２】
前記球入口に入口シャッタ装置を設け、前記シリンダ錠に所定のキーを差し込んで開錠操作することにより前記入口シャッタ装置が閉状態に維持されるように前記施錠装置と前記入口シャッタ装置とを連繋してなることを特徴とする請求項１に記載した弾球遊技機。
【請求項３】
連動ピンを前記入口シャッタ装置または前記出口シャッタ装置のいずれか一方に設け、他方に該連動ピンと係合する係合孔を設けることにより、前記入口シャッタ装置と前記出口シャッタ装置とを連繋したことを特徴とする請求項２に記載した弾球遊技機。
【発明の詳細な説明】
【技術分野】
【０００１】
本発明は、パチンコ遊技機，アレンジボール遊技機，雀球遊技機等の弾球遊技機に関するものである。
【背景技術】
【０００２】
パチンコ遊技機等の弾球遊技機は、一般に方形枠状の機枠（外枠とも称される）と、該機枠の向かって左側縁に水平面内で回転可能（開閉可能）なるように軸支された本体枠（遊技機本体または遊技板取付枠、機構板等とも称される）と、該本体枠の前面に着脱可能なるように取り付けられた遊技盤と、該遊技盤の前面を覆うように前記本体枠の向かって左側縁に水平面内で回転可能なるように軸支された前面枠（透明板保持枠、ガラス枠、前板または前面扉とも称される）とからなり、前記本体枠に球発射装置、球払出装置、賞球タンク等が設けられ、前記前面枠には透明板が設けられているほか、球皿等が設けられている。また、前記本体枠の向かって右側縁に施錠装置が設けられ、該施錠装置により該本体枠と前記機枠とを閉状態に施錠するとともに該本体枠と前記前面枠とを閉状態に施錠し得るようにしている。そして前記前面枠の前面に設けられた鍵孔に特定のキーを挿入してシリンダ錠を一方向に回転操作することにより該本体枠と前記前面枠と解錠されて該前面枠が前方に開放可能となり、シリンダ錠を反対方向に回転操作することによっては該本体枠と前記機枠とが解錠されて該本体枠が前方に開放可能となるように構成されている。
【０００３】
そして、上記弾球遊技機では、遊技中に遊技盤面に例えば複数の遊技球が複数個詰まってブドウ状になってしまったようなトラブルがあった場合に、遊技場の係員が前面枠を開いてこうした球詰まりを解消させている。このように前面枠を開くと該前面枠の球受皿に遊技球を払い出すために本体枠に設けられている球払出樋から遊技球が外にこぼれ落ちることとなるが、下記特許文献１に示された遊技機では、本体枠側の球払出樋の下流端にシャッタ板を設け、前面枠を開けると該前面枠の裏側に設けられた係合突起が該シャッタ板に形成された係合ガイドに係合することで、該シャッタ板が閉じられるようにすることで球こぼれが防止されるようにしている。
【０００４】
また、下記特許文献２に示された遊技機では、本体枠（遊技機本体）に設けられた球払出樋の下流端にシャッタ装置を設け、該シャッタ装置と施錠装置とをリンク機構を介して連繋し、該施錠装置を開錠操作した時点で付勢部材（バネ）の付勢力（引張力）が作用して該シャッタ装置が閉じられ、球こぼれが防止されるようにしている。
【先行技術文献】
【特許文献】
【０００５】
【特許文献１】特許第４１４７２１９号公報
【特許文献２】特許第５１３０５８１号公報
【発明の概要】
【発明が解決しようとする課題】
【０００６】
ところで特許文献１に示された遊技機では、前面枠を開けると同時にシャッタ板が閉じられるものの、前面枠が開き始めた時点では未だ完全にシャッタ板が閉じられないために、本体枠と前面枠との分離部に位置していた遊技球が外にこぼれ落ちるおそれがある。
【０００７】
この点、特許文献２に示された遊技機は、前面枠を開ける前の施錠装置を開錠操作した時点でシャッタ装置が閉じることから、本体枠側からの球こぼれを完全に防止し得る利点がある。しかし、特許文献２に示された遊技機は、前面枠が開かれた状態では、シャッタ装置に設けられた付勢部材（バネ）の付勢力（引張力）によって該シャッタ装置が閉状態に維持されていて、前面枠を閉じたときには該付勢部材（バネ）の付勢力（引張力）に抗して該シャッタ装置が開かれようにしなければならないので、前面枠を閉じたときに該シャッタ装置が開かせるための機構と、施錠装置を開錠操作したときに該シャッタ装置が閉じられるようにするための機構とを別々に設ける必要があり、そのために構造が複雑化してしまっていた。
また、特許文献２に示された遊技機は、前面枠を閉じた際にシャッタ装置を開かせるための機構として、本体枠側に当接ロッドまたは開閉押圧ロッド等が設けられているが、前面枠を閉じた際にこれらの微細な部品が衝撃を受けるので、破損し故障し易いという問題がある。
さらに、特許文献２に示された遊技機は、前面枠に設けられた球受皿が遊技球で満杯になっていて該シャッタ装置の下流も遊技球が連なった状態であると、前面枠を開けた際に該前面枠側から遊技球が外にこぼれるおそれがある。即ち、特許文献２に示された遊技機は、本体枠側にシャッタ装置を設けたものであるので、本体枠側からの球こぼれは防止し得るものの、前面枠側にはシャッタ装置が設けられていないので前面枠を開けた際に該前面枠側にある遊技球が少数ではあるが外にこぼれるおそれがあった。
【０００８】
また、従来の弾球遊技機は、上記のように機枠に本体枠と前面枠をそれぞれ回転可能に軸支し、該本体枠に遊技盤だけでなく球発射装置，球払出装置および電源装置等の重量のある装置を設けてなるものであるので、前面枠と本体枠とを前方に開くと、重心が大きく前方に移動して重量バランスが悪くなり、遊技機全体が前方に倒れ易くなるなど取扱が難しいとともに、軸支部を介して機枠に常に大きな重量が掛かるので、該機枠や該軸支部を頑強に構成する必要があり、そのために、製造コストが高くなるといった問題があると同時に、強度を確保するために機枠を構成する材料を幅厚のものにする必要があるので、大型の演出装置等の構成部品を設け得るスペースが狭くならざるを得ないという問題もある。
【０００９】
さらにこうした従来の弾球遊技機に設けられる施錠装置は、機枠と本体枠と前面枠との３つを施錠する機能を備える必要があり、キーの回転方向に従い、前面枠のみを解錠したり、本体枠と前面枠とを同時に解錠できるといった使い方をするものであったので、構成も複雑であるとともに、不慣れであると操作が難しいという問題があった。
【課題を解決するための手段】
【００１０】
本発明に係る弾球遊技機は上記課題を解決しようとするもので、前面に遊技盤ユニットが配設された本体と、前面に球受皿が設けられた前面枠とからなり、前記本体には払出球タンクと連なる球払出装置が設けられ、該球払出装置と連なる球払出樋の球出口が該本体の前面に露出するように設けられるとともに該球出口に出口シャッタ装置が設けられ、前記前面枠は前記本体の一側縁に開閉可能に軸支され、前記球受皿に連なる球入口が該前面枠の背面に前記球出口と相対するように設けられ、前記本体に対して前記前面枠を閉状態に施錠する施錠装置を備え、該施錠装置には遊技機の前面から所定のキーを差し込むことにより開錠操作し得るシリンダ錠を設けるとともに該施錠装置を開状態に維持するラッチ機構を設け、該施錠装置を開状態にすると前記球出口が閉状態に維持されるように該施錠装置と前記出口シャッタ装置とを連繋してなることを特徴とする。
このように施錠装置と出口シャッタ装置とを連繋したことにより、施錠装置を開状態にすることで出口シャッタ装置が閉じ、かつラッチ機構が該出口シャッタ装置を閉状態に維持するので、前面枠を開けた際に該球出口から遊技球が外部にこぼれ落ちることがない。また、前面枠を閉じる際も該出口シャッタ装置は該施錠装置のラッチ状態が解除されて該施錠装置が閉状態になるのに連動して開状態になるので、従来のように前面枠を閉じたときにシャッタ装置を開かせるための複雑な機構を要さず、構成が簡単になり、このために前面枠を閉じたときにこうした機構に衝撃が掛かり破損、故障等が生じるおそれもなくなる。
また本発明は上記弾球遊技機において、前記球入口に入口シャッタ装置を設け、前記シリンダ錠に所定のキーを差し込んで開錠操作することにより前記入口シャッタ装置が閉状態に維持されるように前記施錠装置と前記入口シャッタ装置とを連繋してなることを特徴とする。
このため、前面枠の背面の球入口からの球こぼれも防止され、前面枠を開けた際に球こぼれが生じるおそれを一切なくすことができる。
また本発明は上記弾球遊技機において、連動ピンを前記入口シャッタ装置または前記出口シャッタ装置のいずれか一方に設け、他方に該連動ピンと係合する係合孔を設けることにより、前記入口シャッタ装置と前記出口シャッタ装置とを連繋したことを特徴とする。
このように入口シャッタ装置と出口シャッタ装置とを連繋させることで、球入口側と球出口側の双方からの球こぼれをシリンダ錠の開錠操作で一度に同時に防止し得る構成をシンプルに実現することができる。
【発明の効果】
【００１１】
前面枠を開けた際に遊技球が外部にこぼれ落ちることがない構成を簡単に実現することができる。
【図面の簡単な説明】
【００１２】
【図１】本発明に係る弾球遊技機の遊技盤ユニットの斜視図。
【図２】本発明に係る弾球遊技機の遊技盤ユニットと本体との分解斜視図。
【図３】本発明に係る弾球遊技機の本体の斜視図。
【図４】本発明に係る弾球遊技機の本体とその内部に設けられる装置の分解斜視図。
【図５】本発明に係る弾球遊技機の払出球タンクと球払出装置の斜視図。
【図６】本発明に係る弾球遊技機の出口シャッタ装置および組付部材の分解斜視図。
【図７】本発明に係る弾球遊技機の遊技盤ユニットを本体に組み付ける際の水平断面図。
【図８】本発明に係る弾球遊技機の遊技盤ユニットを本体に組み付けた際の水平断面図。
【図９】本発明に係る弾球遊技機の前面枠を開いた際の斜視図。
【図１０】本発明に係る弾球遊技機の前面枠に設けられる施錠装置および入口シャッタ装置の分解斜視図。
【図１１】本発明に係る弾球遊技機の前面枠に設けられる施錠装置および球入口部の斜視図。
【図１２】本発明に係る弾球遊技機の前面枠を閉じた際の施錠装置および球払出樋の斜視図。
【図１３】本発明に係る弾球遊技機の前面枠を閉じた際の施錠装置および球入口部の正面図。
【図１４】図１３のＡ−Ａ線断面図。
【図１５】本発明に係る弾球遊技機の出口シャッタ装置と入口シャッタ装置の要部の縦断面図。
【図１６】本発明に係る弾球遊技機の前面枠の裏面の分解斜視図。
【図１７】本発明に係る弾球遊技機の外観斜視図。
【図１８】本発明に係る弾球遊技機の縦断面図。
【発明を実施するための形態】
【００１３】
次に本発明に係るパチンコ遊技機を遊技盤ユニット１の構成から先ず説明する。図１に示すように、遊技盤ユニット１は、合成樹脂により板状に成形された遊技盤２と、前面が開口した合成樹脂製のケース体３とからなり、該ケース体３が該遊技盤２の背面を覆うようにビスによって固着される。該遊技盤２の前面は、外周部分に合成樹脂製の遊技球受枠４およびステンレス製の遊技球誘導レール５が固着され、該球受枠４および該レール５の内側の遊技領域に多数の釘６，風車７，電飾８，通過チャッカー９，始動入賞口１０，普通入賞口１０ａ，可変入賞口１１，アウト球排出口１２等が設けられる。また、該遊技盤２の中央部に大型で奥行きがある演出装置１３が設けられる。該演出装置１３は前方から見ることができる広い内部空間に円盤状の可動体１３ａおよびその両側の動物形の可動体１３ｂがそれぞれモータによって複雑な動きをするように設けられ、さらにその背後に液晶表示装置１３ｃが設けられ、該液晶表示装置１３ｃや演出装置１３を制御する遊技制御基板（図示しない）がこの近辺に設けられる。また、該遊技盤２の向かって左側縁の上下部に一対の軸受片１５ａ，１５ｂが突設される。なお、上記の釘６、風車７、電飾８、通過チャッカー９、始動入賞口１０、普通入賞口１０ａ、可変入賞口１１、および演出装置１３等の配置は機種によって様々であるので図２以下では図示を省略した。
【００１４】
また、ケース体３は遊技盤２よりも縦長の箱状に形成され、その下方部前面に合成樹脂製の封印ケース２１がビス２２により固着される。該封印ケース２１は前面が透明な合成樹脂板により形成され内部が透視されるようにしている。そして、主制御基板２３が該封印ケース２１内に設けられる。該主制御基板２３は、前記始動入賞口１０等の特定の入賞口に遊技球が入賞するとその入賞信号に対して所定の確率で前記可変入賞口１１を開閉動させるといった遊技者にとって有利または不利に拘わる重要な制御をする。なお、該封印ケース２１には、いったん開けると外部にその痕跡が残るように封止ピン２４が設けられている。これにより主制御基板２３のロムを交換するといったような不正改造が防止されるようにしている。
【００１５】
なお、前記始動入賞口１０、普通入賞口１０ａ、可変入賞口１１、および、アウト球排出口１２に入った遊技球は、前記封印ケース２１の後方であってケース体３の下部に形成された排出通路を通り、該ケース体３の下方に排出される。
【００１６】
次に、遊技盤ユニット１が交換可能に組み込まれるこの遊技機本体４０の構成を図２〜図８に従い説明する。該本体４０は遊技場の島台に固設し得るように前面が開口し前後方向に奥行を有する縦長の矩形状なるように鉄板をプレス加工することにより筺体を成形し、その下縁４０ｂ（図７に示される）の前面に幕板４１が固設され、該下縁４０ｂの奥部には高さ調節可能なるようにネジ脚４２が設けられ、該ネジ脚４２により後方への転倒が防止されるようにしている。なお、該本体４０の上縁４０ａおよび下縁４０ｂに釘を打ち込むことが可能な合板等の木片３９が設けられ、該本体４０を釘によって島台に固定し得るようにしている。
【００１７】
本体４０の向かって左側縁４０ｃの内面には一対の受金具４３ａ，４３ｂが固着され、該受金具の上面に前記軸受片１５ａ，１５ｂに貫挿し得る支軸４４ａ，４４ｂが突設され、該受金具４３ａ，４３ｂの少し後側には止片４５ａ，４５ｂが固着される。また、該本体４０の右側縁４０ｄ寄りに遊技盤２を押さえるためのクランプ装置４６ａ，４６ｂが設けられる。なお、遊技盤２の下縁部に当接し得るように斜面状に形成されたガイド部材４７がクランプ装置４６ｂと略々同高さに突設される。また、該本体４０の左側縁４０ｃの内側の上下部に後述する多軸蝶番を固着するための一対の固着基部材４８ａ，４８ｂが固設される。そして、上縁４０ａ、下縁４０ｂ、左側縁４０ｃ、右側縁４０ｄの後端には背面を全体的に覆う背面部４０ｅが形成されている。
【００１８】
また、図４に分解斜視図を示すように、本体４０内の向かって左側下隅に前側から順に球発射装置４９と中継基板５０と球貸制御基板５１が固設される。なお、５２は球発射装置４９を収容するために本体４０内に固設された板金製の箱体である。また、該本体４０内の向かって右側下隅に前側から順にプラスチック製の透明な封印ケース５３と電源装置５４が固設され、該封印ケース５３内に球払出制御基板５６が設けられる。また、本体４０の上縁４０ａの奥部に払出球タンク５８が設けられ、図５に示したように、該払出球タンク５８の後側部にタンクレール５８ａが設けられ、該払出球タンク５８から流出した遊技球が該タンクレール５８ａによりこの弾球遊技機の正面から見て右方向に誘導されるようにしている。そして該タンクレール５８ａの先端部に縦長鉛直状の球供給樋５７ａが連設される。そして該球供給樋５７ａの下部に球払出装置５５が設けられ、該球払出装置５５の下部にさらに該球払出装置５５の払出球誘導部５５ａが一体的に設けられる。このように球供給樋５７ａと球払出装置５５と払出球誘導部５５ａとは縦長の長方形状となり、この縦長の長方形状である部分が本体４０内の向かって右側奥隅に固設される。そして該払出球誘導部５５ａの下端に球払出樋５７が該払出球誘導部５５ａの下端より前方に向かって下向傾斜状なるように連設され、該球払出樋５７の下流前端に２つの球出口５９ａ，５９ｂが左右に並んで前記封印ケース５３の上部にて該本体４０の前面に露出するように開口する。なお、該本体４０の上縁４０ａの奥部で前記払出球タンク５８の隣に外部通信用コネクタ６０が設けられている。また、該本体４０の右側縁４０ｄの内側上部に電源スイッチおよびヒューズが入った電源ボックス６１が固設される。６２はリード線収納用溝である。また、６３ａ，６３ｂは本体４０の右側縁４０ｄの内側上下部に設けられた係合片である。また、板状片を前頃斜面状に支持してなるガイド部材６４が前記係合片６３ａの直下に突設される。
【００１９】
このように本体４０には、球発射装置４９，中継基板５０，球貸制御基板５１，球払出制御基板５６，電源装置５４，球払出装置５５、および、これらに付随する装置など、遊技盤ユニット１を交換する際であっても該遊技盤ユニット１と一緒に交換する必要がなく、かつまた重量のある交換不要部品が固設される。
【００２０】
また、図６および図１５に示したように、前記球払出樋５７の球出口５９ａ，５９ｂに出口シャッタ装置６６が設けられる。即ち、上部が板状に形成されたシャッタ部材６６ａを該球出口５９ａ，５９ｂの下方に垂下状に形成された２本のガイド軸６６ｂに沿って上下動自在なるように設け、ビス６５ａによって止着された組付部材６５内にバネ６７を設け、該バネ６７の弾性によって該シャッタ部材６６ａを上向きに付勢することで該球出口５９ａ，５９ｂが常態では閉じられるようにする。なお、該シャッタ部材６６ａの前面に係合孔６８が形成され、前面枠７０を閉じた際に該係合孔６８に後述するように連動ピン１００ｂが係合し得る。そして、この係合状態にて該連動ピン１００ｂが下動すると該シャッタ部材６６ａは該バネ６７の弾性に抗して下動し、球出口５９ａ，５９ｂが開くよう構成される。
【００２１】
また、前記係合片６３ａおよび前記ガイド部材６４は、鉄板をプレス加工して鈎状に形成された組付枠６９の一部に形成され、該組付枠６９を本体４０の右側縁４０ｄの上部内面に固着することにより、該係合片６３ａおよびガイド部材６４が該本体４０内所定位置に設定される。また、該組付枠６９の内側に前記クランプ装置４６ａおよび前記電源ボックス６１も固設される。また、前記封印ケース５３は鉄板をプレス加工して箱状に形成された組付枠８８に収容され、該組付枠８８の一部に前記ガイド部材４７および前記係合片６３ｂが形成されるとともに、上縁部に前記球払出樋５７を支持するための一対の鈎状折曲部８８ａが形成され、前記ガイド部材４７の上部に位置決めピン８８ｂが突設され、該組付枠８８の下縁折曲部８８ｃを前記幕板４１の裏面に固着することにより、該組付枠８８が本体４０の右側縁４０ｄの下部内面に固着されるようにしている。そして該組付枠８８の上部に前記クランプ装置４６ｂが固着される。
【００２２】
このように構成した本体４０に前記遊技盤ユニット１を装着するに際しては、前記軸受片１５ａ，１５ｂに前記支軸４４ａ，４４ｂを貫挿することにより、該遊技盤ユニット１を図７に示したように先ず該支軸４４ａ，４４ｂを支点として開閉可能にヒンジし、続いて該遊技盤ユニット１を同図に矢印で示したように水平面内で回転させる。これにより、前記ガイド部材４７上に該遊技盤ユニット１が支持され、遊技盤２の自由端側上下縁がそれぞれ前記クランプ装置４６ａ，４６ｂに把握されて押し込まれ、前記位置決めピン８８ｂが遊技盤２の下縁部裏面に予め形成された位置決め孔に嵌合することで、該遊技盤ユニット１は図８に示したように該本体４０内の定位置に固定される。その際、ケース体３に前記凹窪部３２が形成されているので、該ケース体３は前記球供給樋５７ａ、球払出装置５５、払出球誘導部５５ａ等と衝突することはない。また、ケース体３の左側の下縁部は切除されているので、球発射装置４９，中継基板５０，球貸制御基板５１等と干渉することなく、ケース体３の右側の下縁部は凹窪状に形成されているので、球払出制御基板５６が収容された封印ケース５３，電源装置５４と干渉することなく、さらにケース体３の上縁に部分的凹窪部３３が形成されているので払出球タンク５８と干渉することなく本体４０内に収容される。
【００２３】
そして図９に示したように、該遊技盤２の下部に前記主制御基板２３が入った封印ケース２１が位置し、その隣に並ぶように前記球払出制御基板５６が入った封印ケース５３が位置する。このように封印ケース２１と封印ケース５３とが隣接して正面視で互いに重なることなく配置されることで、前面枠７０を開いた状態では主制御基板２３だけでなく球払出制御基板５６も前面から視認される。このため主制御基板２３および球払出制御基板５６について、ＲＯＭを交換する等の不正な改造がされていないかどうかといった検査を前面枠７０を開くだけで容易に行うことができる。
【００２４】
次に前面枠７０の構成を図９〜図１８に従い説明する。前面枠７０は、遊技盤２の前面を覆い得る複層ガラスからなる透明板７１を保持するもので、図９に示したように下方部の裏側に打球供給装置７２および中継基板ケース７３が設けられ、図１７、図１８に示したように、前面には上部球受皿７４と下部球受皿７５が形成され、該前面枠７０の向かって右側下部に打球発射操作用ハンドル７６が突設される。８２ａは遊技者が操作し得るように前面に設けられた球貸操作用ボタン、８２ｂはカードなどの記憶媒体の返却操作用ボタンである。また、図９に示したように、前記遊技球誘導レール５に沿って落下したファウル球を受けるために前面枠７０の下方部の裏側に球受口８５が設けられ、該球受口８５に入った遊技球は前面枠７０の一部に形成される誘導樋８５ａ（図２０に示す）を通って前記下部球受皿７５に誘導される。
【００２５】
また、前面枠７０の上部に前方に突出するケース部８１が形成され、該ケース部８１内にも適宜演出装置を設けられるようにしている。そして、該前面枠７０の向かって左側縁の上下部には一対の多軸蝶番７７ａ，７７ｂが設けられ、該多軸蝶番７７ａ，７７ｂを前記固着基部材４８ａ，４８ｂに止着することにより該前面枠７０は図１４に示されるように本体４０に開閉可能にヒンジされる。
【００２６】
また、前記球出口５９ａ，５９ｂと相対するように前面枠７０の下方部の裏側に２つの球入口８４ａ，８４ｂ（図９に示す）が並設され、一方の球入口８４ａは図１６に示した傾斜樋７４ａを介して上部球受皿７４と連通し、他方の球入口８４ｂは傾斜樋７５ａを介して下部球受皿７５と連通する。このため前記球払出装置５５から流出した遊技球は、球入口８４ａ，傾斜樋７４ａを通って上部球受皿７４に払い出され、該上部球受皿７４が満杯になると、球払出装置５５から流出した遊技球は、球入口８４ｂ，傾斜樋７５ａを通って下部球受皿７５に払い出されるようになる。なお、上部球受皿７４の底部に開閉弁８３ａが設けられ、前面枠７０の前面に設けられたスライド式の操作ボタン８３（図１７に示す）を操作することにより、該開閉弁８３ａが開き、上部球受皿７４中の遊技球を縦樋８３ｂを通して下部球受皿７５に流落させられるようにしている。
【００２７】
上部球受皿７４内に溜まった遊技球は、前記打球供給装置７２を通すことにより一個ずつ前記球発射装置４９に補給され、該球発射装置４９によって前記遊技球誘導レール５に沿って打ち上げられ、前記遊技盤２の遊技領域に達する。
【００２８】
また、図９に示すように、前面枠７０の向かって右側縁にラッチ機構付きの施錠装置７８が設けられ、図１７に示すように該施錠装置７８のシリンダ錠７９の鍵孔が該前面枠７０の前面に開口している。このため該シリンダ錠７９に所定のキーを差し込んで回転することにより、該施錠装置７８の係合部材８０ａ，８０ｂが前記係合片６３ａ，６３ｂに係脱する。これにより該前面枠７０を図９に示した開状態とすることができる。
【００２９】
次にこのラッチ機構付きの施錠装置７８の構成を詳しく説明する。該施錠装置７８は、図１０に分解斜視図を示したように、前面枠７０に固着される縦長板９０と、該縦長板９０の下部に固設される前記シリンダ錠７９と、該シリンダ錠７９に設けられた回転片９１と、該縦長板９０の上部と下部にそれぞれピン９２ａ，９２ｂを貫挿することにより回転自在に装着される板状の一対の前記係合部材８０ａ，８０ｂと、長孔９３ａ〜９３ｃが形成され該長孔９３ａ〜９３ｃにピン９４ａ〜９４ｃを貫挿することにより縦長板９０の一側に上下動自在に装着される作動杆９５と、引張バネ９６ａ，９６ｂを備えている。前記係合部材８０ａ，８０ｂは外周縁がカム状に形成されているとともに、係合用溝８０ｃと錠溝８０ｄとが略々平行に形成され、その背部にバネ掛部８０ｅが形成されている。そして一端を前記作動杆９５のバネ掛部９５ｄに掛止した引張バネ９６ａ，９６ｂの他端を該係合部材８０ａ，８０ｂのバネ掛部８０ｅに掛止する。また、前記回転片９１の先端部を作動杆９５の下部に形成された係合孔９５ｃに係合する。さらに前記係合部材８０ａ，８０ｂの錠溝８０ｄにそれぞれ係脱し得るラッチピン９５ａ，９５ｂを該作動杆９５の側面に突設してなる。
【００３０】
この施錠装置７８では、本体４０に対して前面枠７０が閉状態であるときは、図１４に示したように係合部材８０ａ，８０ｂの係合用溝８０ｃに前記係合片６３ａ，６３ｂが係合し、ラッチピン９５ａ，９５ｂが該係合部材８０ａ，８０ｂの錠溝８０ｄに係合し、作動杆９５は下動して施錠状態となる。
【００３１】
そこで、シリンダ錠７９に所定のキーを差し込んで回転片９１を時計方向に回転させ作動杆９５を上動させると、前記ラッチピン９５ａ，９５ｂは前記錠溝８０ｄから抜脱する。
そこで、係合部材８０ａ，８０ｂは係合用溝８０ｃの先端部が少し下向となるように引張バネ９６ａ，９６ｂの弾性によりピン９２ａ，９２ｂを中心として回転し、該係合用溝８０ｃが前記係合片６３ａ，６３ｂと相対する抜脱した状態で回転停止し、その状態で前面枠７０を前方に引くと、前面枠７０は開かれる。
【００３２】
なお、このようにキーをシリンダ錠７９に差し込んで回転した状態では該キーはシリンダ錠７９から抜けなくなる。また、シリンダ錠７９にキーを差し込んだままで該キーから手を離しても、引張バネ９６ａ，９６ｂの弾性によりラッチピン９５ａ，９５ｂが該係合部材８０ａ，８０ｂのカム状の外周縁に当接した状態となることから、係合部材８０ａ，８０ｂはこの回転状態が維持される。即ち、係合用溝８０ｃが係合片６３ａ，６３ｂと相対した状態でラッチされる。また、このときラッチピン９５ａ，９５ｂが該係合部材８０ａ，８０ｂの外周縁に当接することにより作動杆９５は上動状態に維持される。このため、前面枠７０を開状態にしたとき、作動杆９５は上動状態に維持、ラッチされる。即ち、キーから手を離しても施錠装置７８の開状態は維持される。なお、作動杆９５の下端部には次に説明する連動用のタブ９５ｅが折曲形成され、該タブ９５ｅに係合孔９５ｆが開設されている。
【００３３】
また、前面枠７０を閉じると、係合片６３ａ，６３ｂが係合部材８０ａ，８０ｂの係合用溝８０ｃに入って該係合部材８０ａ，８０ｂを上向きに回転させ、図１４に示したように該各係合用溝８０ｃに係合片６３ａ，６３ｂが係合し、ラッチピン９５ａ，９５ｂが該係合部材８０ａ，８０ｂの錠溝８０ｄに係合し、作動杆９５は下動する。そこでキーを元の回転位置に戻し、該キーをシリンダ錠７９から抜くことにより、該前面枠７０は閉状態に施錠される。
【００３４】
なお、縦長板９０の上部に上向突起８６が固着部材８６ａを介して固着され、該上向突起８６は前記ガイド部材６４と相対するように該前面枠７０の裏面に突出する。このため前面枠７０を閉じたときに該上向突起８６が前記ガイド部材６４上に乗上げることで、重量のある前面枠７０が容易に本体４０に閉止されるようにしている。また、前面枠７０を閉止した時に遊技盤２の前面に当接するように該前面枠７０の裏側上縁部に弾性突起８７が突設されている。
【００３５】
次に、前面枠７０に設けられた入口シャッタ装置１００の構成を説明する。入口シャッタ装置１００は、前面枠７０の前記球入口８４ａ，８４ｂに設けられるもので、図１０および図１５に示したように、上部に球入口８４ａ，８４ｂが形成された箱状体１０１の内部にシャッタ部材１００ａを上下動自在に設けるとともに、該箱状体１０１内に伝動杆１０２の基端部１０２ａを回転自在に軸支し、該伝動杆１０２の略中間部に突設されたピン１０２ｂの先端を前記シャッタ部材１００ａに係合し、該伝動杆１０２の他端に形成された短軸部１０２ｃを前記タブ９５ｅの係合孔９５ｆに遊嵌する。なお、該係合孔９５ｆは内径が短軸部１０２ｃの外径よりも大きく形成されていて伝動杆１０２の上下動に対し十分な遊びがあるようしている。こうすることで、前面枠７０を閉じた際に施錠装置７８からの衝撃が短軸部１０２ｃに伝わり難くなるので、係合孔９５ｆと短軸部１０２ｃとが衝突し破損するのが防止される。
１０３および１０４は該箱状体１０１にビス止めされる蓋体を示す。また前記シャッタ部材１００ａに連動ピン１００ｂを固着し、該連動ピン１００ｂを該蓋体１０４に形成された切欠部１０４ａから突出させ、前面枠７０を閉じた際に該連動ピン１００ｂの先端部が前記係合孔６８に嵌るようにする。
【００３６】
このため、前面枠７０が閉状態にあり前記作動杆９５が下動状態にあると、伝動杆１０２が基端部１０２ａを支点として下方に動いた状態にあることで、図１５の（ａ）に示したように、該伝動杆１０２に設けられたピン１０２ｂが下動し、シャッタ部材１００ａを下動させ、球入口８４ａ，８４ｂが開かれた状態にあり、前面枠７０が閉じられることで、球出口５９ａ，５９ｂに球入口８４ａ，８４ｂが合致し、前記連動ピン１００ｂが前記係合孔６８に係合していることからシャッタ部材６６ａも下動し球出口５９ａ，５９ｂが開状態にある。このため、前記球払出装置５５から払い出された遊技球は、図１５（ａ）に示したように球出口５９ａ，５９ｂから球入口８４ａ，８４ｂに流れ、上部球受皿７４または下部球受皿７５に払い出され、遊技が継続される。
【００３７】
また、球詰まりが発生したとき等に、シリンダ錠７９に所定のキーを差し込んで時計方向に回転し作動杆９５を上動させる開錠操作が行なわれると、シャッタ部材１００ａが上動することで該シャッタ部材１００ａの上部が上方に突出し球入口８４ａ，８４ｂが閉じられる。またシャッタ部材１００ａが上動すると同時に連動ピン１００ｂが上動しシャッタ部材６６ａも上動するので該シャッタ部材６６ａの上部が上方に突出し球出口５９ａ，５９ｂも閉じられる。このようにシリンダ錠７９を開錠操作するだけで、出口シャッタ装置６６および入口シャッタ装置１００がともに閉状態になる。そして、前述のように施錠装置７８にラッチ機構が設けられていることから、作動杆９５は上動状態に維持され、シャッタ部材１００ａおよびシャッタ部材６６ａは上動状態に維持される。即ち、出口シャッタ装置６６および入口シャッタ装置１００は閉状態に維持される。そして前面枠７０を開いた際、図１５（ｂ）に示したように、連動ピン１００ｂは係合孔６８から抜脱するが、シャッタ部材６６ａは前記バネ６７の弾性により引き続き上動状態に維持される。このため、前面枠７０を開いた際に球出口５９ａ，５９ｂや球入口８４ａ，８４ｂにあった遊技球が外にこぼれ落ちることはない。
また、前面枠７０を閉じれば、前記連動ピン１００ｂが係合孔６８に係合するとともに前記係合片６３ａ，６３ｂが係合部材８０ａ，８０ｂを介して作動杆９５を下動させ、シャッタ部材１００ａを下動させるので、該連動ピン１００ｂがシャッタ部材６６ａも下動させる。このため、球出口５９ａ，５９ｂおよび球入口８４ａ，８４ｂが開き、図１５（ａ）に示した遊技球が払い出し可能で遊技を再開し得る状態に戻る。
【００３８】
このように、本体４０に設けられた球払出装置５５と連なる球出口５９ａ，５９ｂに出口シャッタ装置６６を設けるとともに、前面枠７０に設けられた球受皿７４，７５に連なる球入口８４ａ，８４ｂに入口シャッタ装置１００を設け、前面枠７０を閉状態に施錠するための施錠装置７８にはシリンダ錠７９を設けるとともに該施錠装置を開状態に維持するラッチ機構が設けられ、前記入口シャッタ装置１００および前記出口シャッタ装置６６と該施錠装置７８とを連動ピン１００ｂと係合孔６８とにより連繋してなる弾球遊技機では、該施錠装置を開状態にするだけで前記球入口８４ａ，８４ｂおよび前記球出口５９ａ，５９ｂが閉状態に維持される。このため前面枠を開けても該球入口および該球出口から遊技球が外にこぼれ落ちるおそれが一切ない。
【００３９】
また、施錠装置７８は、本体４０に対して前面枠７０を閉状態にロックする機能を具備しておればよいので、従来の弾球遊技機の施錠装置のようにキーを時計方向に回転するかまたは反時計方向に回転するかによって前面枠のみを開放するか或いは本体枠をも同時に開放するかといった複雑なキー操作を要しない。このため施錠装置の構成が簡略化されコストも軽減される。そして前面枠７０の解錠操作が簡単になるとともに、前面枠７０を開いた際に遊技球が外部にこぼれ出るおそれがないので、慣れない者であっても遊技中に発生する球詰まりに容易に対処できるようになる。
【００４０】
また、この実施形態に示した弾球遊技機は、従来の弾球遊技機の機枠や本体枠に代えて、遊技場の島台に本体４０を固設し、該本体４０に遊技盤２を着脱可能に取着するものであるので、従来のように大重量の本体枠を頑強な軸支部により回転可能に軸支する必要がなくなる。このためコストが軽減されるとともに、スペースに余裕ができ、大型の演出装置１３を備えることによって、遊技を一層面白く迫力のあるものにし、弾球遊技機の娯楽性を高めることができる。
【００４１】
なお、この実施形態では、入口シャッタ装置１００に連動ピン１００ｂを設け、出口シャッタ装置６６に係合孔６８を設けたが、出口シャッタ装置６６に連動ピンを設け、入口シャッタ装置１００に係合孔を設けるようにしてもよい。要するに、前面枠７０を閉状態にしたときに入口シャッタ装置と出口シャッタ装置とを連繋させる手段を設ければよい。
また、この実施形態では、入口シャッタ装置１００と出口シャッタ装置６６とを連繋させる手段を設けたが、例えばシャッタ部材６６ａと前記作動杆９５とが連動ピンと係合孔によって連繋されるようにし、出口シャッタ装置６６を施錠装置７８に直接連繋させる構成としてもよい。さらに、前面枠７０を開状態とする際に、施錠装置７８の作動杆９５が入口シャッタ装置１００及び出口シャッタ装置６６に直接的に作用し、入口シャッタ装置１００と出口シャッタ装置６６とが連繋することなく、入口シャッタ装置１００及び出口シャッタ装置６６が閉状態に維持されるようにしてもよい。
また、前面枠７０を閉じたときに連繋させる手段としてもこの実施形態に示した連動ピンと係合孔の組み合わせに限らず、例えば、互いに相対するように一対の楔形状の部材を設けてもよい。
また、施錠装置７８を開状態に維持するラッチ機構について、この実施形態では、引張バネ９６ａ，９６ｂの弾性によりラッチピン９５ａ，９５ｂが係合部材８０ａ，８０ｂのカム状の外周縁に当接した状態を維持する構成としたが、この構成に限らず周知のラッチ機構を採用し得る。
【００４２】
さらに、この実施形態では前面枠７０に施錠装置７８，シリンダ錠７９を設けたが、該施錠装置７８やシリンダ錠７９は本体４０の前面一側縁に固設してもよい。また、この実施形態では前面枠７０に打球発射操作ハンドル７６を設けたが、本体４０の前面下部から遊技球発射操作ハンドルを突出させる構成にしてもよい。
このように、本体４０に施錠装置や打球発射操作ハンドルを設けることによっては、前面枠７０に設ける部品を少なくなり、前面枠７０を軽くすることができるので、その軸支部である多軸蝶番７７ａ，７７ｂに掛かる重量負担を一層軽減することができると同時に該前面枠７０を開けたときの重量バランスをさらに改善することができる。
また、本体４０の形状は、必ずしもこの実施形態に示したような背面が閉じられたボックス形に形成しなくてもよいが、ボックス形に形成することによっては、強度が増し、比較的薄手の鉄板により成形しても頑強に製作し得るので、大型の演出装置等を収納し得るスペースを一層確保し易くするとともに、重量のある前面枠でも軸支可能な強固な構造が容易に得られる。
【符号の説明】
【００４３】
１…遊技盤ユニット、    ２…遊技盤、    ３…ケース体、    ４…遊技球受枠、    ５…遊技球誘導レール、    ６…釘、    ７…風車、    ８…電飾、    ９…通過チャッカー、    １０…始動入賞口、    １０ａ…普通入賞口、    １１…可変入賞口、    １２…アウト球排出口、    １３…演出装置、    １３ａ，１３ｂ…可動体、    １３ｃ…液晶表示装置、    １５ａ，１５ｂ…軸受片、    ２１…封印ケース、    ２２…ビス、    ２３…主制御基板、    ２４…封止ピン、    ３２…凹窪部、    ３３…凹窪部、    ３９…木片、    ４０…本体、    ４０ａ…上縁、    ４０ｂ…下縁、    ４０ｃ…左側縁、    ４０ｄ…右側縁、    ４０ｅ…背面部、    ４１…幕板、    ４２…ネジ脚、    ４３ａ，４３ｂ…受金具、    ４４ａ，４４ｂ…支軸、    ４５ａ，４５ｂ…止片、    ４６ａ，４６ｂ…クランプ装置、    ４７…ガイド部材、    ４８ａ，４８ｂ…固着基部材、    ４９…球発射装置、    ５０…中継基板、    ５１…球貸制御基板、    ５２…箱枠体、    ５３…封印ケース、    ５４…電源装置、    ５５…球払出装置、    ５５ａ…払出球誘導部、    ５６…球払出制御基板、    ５７ａ…球供給樋、    ５７…球払出樋、    ５８…払出球タンク、    ５８ａ…タンクレール、    ５９ａ，５９ｂ…球出口、    ６０…外部通信用コネクタ、    ６１…電源ボックス、    ６２…リード線収納用溝、    ６３ａ，６３ｂ…係合片、    ６４…ガイド部材、    ６５…組付部材、    ６５ａ…ビス、    ６６…出口シャッタ装置、    ６６ａ…シャッタ部材、    ６６ｂ…ガイド軸、    ６７…バネ、    ６８…係合孔、    ６９…組付枠、    ７０…前面枠、    ７１…透明板、    ７２…打球供給装置、    ７３…中継基板ケース、    ７４…上部球受皿、    ７４ａ…傾斜樋、    ７５…下部球受皿、    ７５ａ…傾斜樋、    ７６…打球発射操作用ハンドル、    ７７ａ，７７ｂ…多軸蝶番、    ７８…施錠装置、    ７９…シリンダ錠、    ８０ａ，８０ｂ…係合部材、    ８０ｃ…係合用溝、    ８０ｄ…錠溝、    ８０ｅ…バネ掛部、    ８１…ケース部、    ８３…操作ボタン、    ８３ａ…開閉弁、    ８３ｂ…縦樋、    ８４ａ，８４ｂ…球入口、    ８５…球受口、    ８５ａ…誘導樋、    ８６…上向突起、    ８６ａ…固着部材、    ８７…弾性突起、    ８８…組付枠、    ８８ａ…鈎状折曲部、    ８８ｂ…位置決めピン、    ８８ｃ…下縁折曲部、    ９０…縦長板、    ９１…回転片、    ９２ａ，９２ｂ…ピン、    ９３ａ〜９３ｃ…長孔、    ９４ａ〜９４ｃ…ピン、    ９５…作動杆、    ９５ａ，９５ｂ…ラッチピン、    ９５ｃ…係合孔、    ９５ｄ…バネ掛部、    ９５ｅ…タブ、    ９５ｆ…係合孔、    ９６ａ，９６ｂ…引張バネ、    １００…入口シャッタ装置、    １００ａ…シャッタ部材、    １００ｂ…連動ピン、    １０１…箱状体、    １０２…伝動杆、    １０２ａ…基端部、    １０２ｂ…ピン、    １０２ｃ…短軸部、    １０３，１０４…蓋体、    １０４ａ…切欠部
【図１】
2017144095.tif 000003
【図２】
2017144095.tif 000004
【図３】
2017144095.tif 000005
【図４】
2017144095.tif 000006
【図５】
2017144095.tif 000007
【図６】
2017144095.tif 000008
【図７】
2017144095.tif 000009
【図８】
2017144095.tif 000010
【図９】
2017144095.tif 000011
【図１０】
2017144095.tif 000012
【図１１】
2017144095.tif 000013
【図１２】
2017144095.tif 000014
【図１３】
2017144095.tif 000015
【図１４】
2017144095.tif 000016
【図１５】
2017144095.tif 000017
【図１６】
2017144095.tif 000018
【図１７】
2017144095.tif 000019
【図１８】
2017144095.tif 000020